(57)【特許請求の範囲】
【請求項１】
給湯路の通水に連動して作動し、該給湯路を流れる水を加熱する、燃焼器を備えた加熱手段と、燃焼用空気を該燃焼器に給気する通気路に設けられた燃焼ファンと、該燃焼ファンの吸入側の通気路の部分に設けられたエアフィルタと、前記燃焼用空気の給気量が前記燃焼器の燃焼量に応じた所定の給気量になるように、前記燃焼ファンの回転数を制御するファン制御手段と、前記加熱手段の作動中に前記エアフィルタの詰まり異常が生じたとき、その異常を検出する異常検出手段と、該異常検出手段により前記異常が検出されたとき、前記加熱手段の作動を停止せしめると共に該異常内容を報知する異常処理手段とを備えた給湯装置において、
前記ファン制御手段は、実際の前記燃焼用空気の給気量が前記所定の給気量になるように前記燃焼ファンの回転数を補正する制御を行い、前記異常検出手段は、前記燃焼用空気の給気量と前記燃焼ファンの回転数との相関関係から前記エアフィルタの詰まり異常を検出し、前記異常処理手段は、前記異常内容の報知を行った時からあらかじめ定めた所定時間を経過するまでは、継続的に前記異常内容の報知を行うことを特徴とする給湯装置。
【請求項２】
給湯路の通水に連動して作動し、該給湯路を流れる水を加熱する、燃焼器を備えた加熱手段と、燃焼用空気を該燃焼器に給気する通気路に設けられた燃焼ファンと、該燃焼ファンの吸入側の通気路の部分に設けられたエアフィルタと、前記燃焼用空気の給気量が前記燃焼器の燃焼量に応じた所定の給気量になるように、前記燃焼ファンの回転数を制御するファン制御手段と、前記加熱手段の作動中に前記エアフィルタの詰まり異常が生じたとき、その異常を検出する異常検出手段と、該異常検出手段により前記異常が検出されたとき、前記加熱手段の作動を停止せしめると共に該異常内容を報知する異常処理手段とを備えた給湯装置において、
前記ファン制御手段は、実際の前記燃焼用空気の給気量が前記所定の給気量になるように前記燃焼ファンの回転数を補正する制御を行い、前記異常検出手段は、前記燃焼用空気の給気量と前記燃焼ファンの回転数との相関関係から前記エアフィルタの詰まり異常を検出し、前記異常処理手段は前記異常内容の報知の後、前記給湯路の通水が停止された時からあらかじめ定めた所定時間を経過するまでは、継続的に前記異常内容の報知を行うことを特徴とする給湯装置。
【請求項３】
前記異常処理手段は、前記異常内容の報知を行っている間は、前記給湯路の通水の再開にかかわらず前記加熱手段の作動を禁止することを特徴とする請求項１又は２記載の給湯装置。
【請求項４】
前記異常処理手段による前記異常内容の報知は、給湯の設定温度を表示するための表示器の表示を該設定温度の表示から前記異常内容の表示に切り換えて行うことを特徴とする請求項１乃至３のいずれかに記載の給湯装置。
【発明の詳細な説明】
【０００１】
【発明の属する技術分野】
本発明は、給湯装置に関する。
【０００２】
【従来の技術】
例えばガス給湯装置においては、給湯管の通水の有無を水流スイッチや水量センサを用いて検知し、その通水の有無の検知に連動させて、前記給湯管を設けた熱交換器を加熱するガスバーナの燃焼の開始や停止を行わしめるものが一般に知られている。
【０００３】
そして、この種のガス給湯装置においては、ガスバーナの失火や不着火、出湯温センサの故障等、各種の異常を検出し、その異常の検出に応じてガスバーナの燃焼を停止すると共に、その異常内容を例えば出湯温の設定温度を表示するための表示器に切換表示するようにしたものが従来から知られている。さらに、近年では、ガスバーナに燃焼ファンにより燃焼用空気を供給するための通気路（例えば燃焼ファンの吸気口）に設けたエアフィルタの目詰まり異常を検出し、その目詰まり異常が検出されたときも、上記と同様にガスバーナの燃焼停止や異常内容の表示を行って、エアフィルタの清掃の必要性を使用者に促すようにしたものが本願出願人等により開発されている。
【０００４】
ところで、例えば前記ガスバーナの失火や不着火という異常にあっては、一般に、その異常は一時的なもので、このような異常にあっては、該異常の発生後、ガスバーナの燃焼運転を支障なく再開することができる可能性が高い。また、異常発生時に前記設定温度の表示器に異常内容を切換表示するものでは、少なくともガスバーナの燃焼を行い得る状態では、本来の設定温度を表示することが好ましい。
【０００５】
このため、従来の給湯装置にあっては、異常発生時の異常内容の表示は、該異常発生後、給湯路の通水が停止されるまで行い、該通水の停止に応じて異常内容の表示をクリアするようにしていた。そして、通水が再開された時はただちに通常の設定温度表示を行うようにしていた。尚、この場合、通水を再開しても、異常発生の原因が解消されない限り、再び、ガスバーナの燃焼運転が停止され、また、異常内容の表示が行われる。
【０００６】
しかしながら、このようなものにあっては、特にエアフィルタの目詰まり異常等、使用者自らが容易に異常原因を解消することができる異常が生じた場合に次のような不都合があることが本願発明者等の検討により判明した。
【０００７】
すなわち、例えば前記エアフィルタの目詰まり異常にあっては、使用者自らが該エアフィルタを清掃するだけでその異常原因を解消することができるものであるから、該異常が生じた場合には速やかにその異常内容を使用者に報知することが好ましい。
【０００８】
ところが、従来のものでは、前述のように異常発生時の異常内容の表示を、給湯路の通水が停止されるまで行うため、該異常発生後、使用者がただちに通水を停止すると、異常内容の表示は消えてしまい、使用者が該異常内容を見落とし易い。また、このような見落としは、例えば表示器が給湯装置のリモコンユニットに備えられ、給湯路の通水操作を行うための蛇口と表示器とが離れている場合に生じやすい。この場合、給湯路の通水を継続しておけば、異常内容は継続的に表示器に表示されているので、該異常内容を認識することが可能であるものの、このような機能を使用者は熟知していない場合が多く、一般には、使用者は、異常が発生してガスバーナの燃焼が停止すると、ただちに通水を止めてしまう。
【０００９】
このため、使用者は、異常内容を把握するまでに、通水の停止・再開を数回にわたって繰り返したり、あるいは、異常内容を把握しないまま、給湯装置の故障と判断して業者に修理を依頼することとなって、余分な手間暇を要するという不都合がある。
【００１０】
尚、発生した異常が、例えばガスバーナの失火や不着火等の一時的なものである場合には、給湯路の通水を再開すれば、ガスバーナの燃焼運転が支障なく再開し、使用者が異常内容を見落としても支障はない。
【００１１】
また、前記サーミスタの故障等の異常の場合には、該異常は、使用者自信が異常原因を解消することができるものではないので、使用者は修理が必要な異常であることを判断できればよく、従って、使用者が異常内容を認識せずともさほど支障はない。
【００１２】
【発明が解決しようとする課題】
本発明はかかる背景に鑑み、運転中に異常が生じた場合に、使用者が確実且つ速やかにその異常内容を認識することができ、特にエアフィルタの詰まり異常等、使用者自らが容易に異常原因を解消することができる異常が生じた場合に、使用者が確実且つ速やかに異常内容を認識して適切な処置を迅速に施すことができる給湯装置を提供することを目的とする。
【００１３】
【課題を解決するための手段】
かかる目的を達成するために、本発明の第１の態様は、給湯路の通水に連動して作動し、該給湯路を流れる水を加熱する、燃焼器を備えた加熱手段と、燃焼用空気を該燃焼器に給気する通気路に設けられた燃焼ファンと、該燃焼ファンの吸入側の通気路の部分に設けられたエアフィルタと、前記燃焼用空気の給気量が前記燃焼器の燃焼量に応じた所定の給気量になるように、前記燃焼ファンの回転数を制御するファン制御手段と、前記加熱手段の作動中に前記エアフィルタの詰まり異常が生じたとき、その異常を検出する異常検出手段と、該異常検出手段により前記異常が検出されたとき、前記加熱手段の作動を停止せしめると共に該異常内容を報知する異常処理手段とを備えた給湯装置において、前記ファン制御手段は、実際の前記燃焼用空気の給気量が前記所定の給気量になるように前記燃焼ファンの回転数を補正する制御を行い、前記異常検出手段は、前記燃焼用空気の給気量と前記燃焼ファンの回転数との相関関係から前記エアフィルタの詰まり異常を検出し、前記異常処理手段は、前記異常内容の報知を行った時からあらかじめ定めた所定時間を経過するまでは、継続的に前記異常内容の報知を行うことを特徴とするものである。
【００１４】
かかる本発明の第１の態様によれば、前記ファン制御手段は、実際の前記燃焼用空気の給気量が前記所定の給気量になるように前記燃焼ファンの回転数を補正する制御を行うとともに、前記異常検出手段は、前記燃焼用空気の給気量と前記燃焼ファンの回転数との相関関係から前記エアフィルタの詰まり異常を検出する。これにより、前記エアフィルタの目詰まり等による通気路の閉塞がある程度進行しても、必要燃焼量に対応した適正量の燃焼用空気を供給することができるとともに、前記エアフィルタの詰まり異常を速やかに検出することができる。さらに、かかる本発明の第１の態様によれば、前記エアフィルタの詰まり異常の発生後、ただちに前記給湯路の通水が停止されても、前記所定時間を経過するまでは、前記異常内容の報知が停止することなく継続的に行われる。これにより、使用者は、速やかにエアフィルタの詰まり異常を認識することができ、エアフィルタの清掃等の適切な処置を施すことができる。
【００１５】
また、本発明の第２の態様は、給湯路の通水に連動して作動し、該給湯路を流れる水を加熱する、燃焼器を備えた加熱手段と、燃焼用空気を該燃焼器に給気する通気路に設けられた燃焼ファンと、該燃焼ファンの吸入側の通気路の部分に設けられたエアフィルタと、前記燃焼用空気の給気量が前記燃焼器の燃焼量に応じた所定の給気量になるように、前記燃焼ファンの回転数を制御するファン制御手段と、前記加熱手段の作動中に前記エアフィルタの詰まり異常が生じたとき、その異常を検出する異常検出手段と、該異常検出手段により前記異常が検出されたとき、前記加熱手段の作動を停止せしめると共に該異常内容を報知する異常処理手段とを備えた給湯装置において、前記ファン制御手段は、実際の前記燃焼用空気の給気量が前記所定の給気量になるように前記燃焼ファンの回転数を補正する制御を行い、前記異常検出手段は、前記燃焼用空気の給気量と前記燃焼ファンの回転数との相関関係から前記エアフィルタの詰まり異常を検出し、前記異常処理手段は前記異常内容の報知の後、前記給湯路の通水が停止された時からあらかじめ定めた所定時間を経過するまでは、継続的に前記異常内容の報知を行うことを特徴とするものである。
【００１６】
かかる本発明の第２の態様によれば、前記ファン制御手段は、実際の前記燃焼用空気の給気量が前記所定の給気量になるように前記燃焼ファンの回転数を補正する制御を行うとともに、前記異常検出手段は、前記燃焼用空気の給気量と前記燃焼ファンの回転数との相関関係から前記エアフィルタの詰まり異常を検出する。これにより、前記エアフィルタの目詰まり等による通気路の閉塞がある程度進行しても、必要燃焼量に対応した適正量の燃焼用空気を供給することができるとともに、前記エアフィルタの詰まり異常を速やかに検出することができる。さらに、かかる本発明の第２の態様によれば、前記エアフィルタの詰まり異常の発生後、ただちに前記給湯路の通水が停止された場合はもちろん、使用者が異常の発生に気づかないまま、給湯路の通水を比較的長い時間にわたって継続した場合であっても、給湯路の通水の停止後、前記所定時間が経過するまでは、継続的に前記異常内容の報知が行われる。これにより、使用者は、異常の発生に応じた通水の停止後、速やかにエアフィルタの詰まり異常を認識することができ、エアフィルタの清掃等の適切な処置を施すことができる。
【００１７】
このような本発明の第１及び第２の態様において、前記異常処理手段は、前記異常内容の報知を行っている間は、前記給湯路の通水の再開にかかわらず前記加熱手段の作動を禁止する。これによれば、使用者が、仮に前記異常内容の報知に気づかずに、その報知が行われている間に給湯装置の運転を再開すべく通水を再開しても、前記加熱手段の作動は行われない。これにより、使用者は異常内容の報知が行われている旨を確実に認識して、ただちに該異常内容を確認することができ、その異常内容に応じた適切な処置を速やかに施すことができる。
【００１８】
また、本発明の第１及び第２の態様においては、前記異常処理手段による前記異常内容の報知は、給湯の設定温度を表示するための表示器の表示を該設定温度の表示から前記異常内容の表示に切り換えて行う。これによれば、使用者に前記異常内容を認識させるために該異常内容の報知を行う期間が経過した後は、自動的に通常の設定温度の表示に戻るため、使用者は、前記異常内容に対応した処置を行った後、設定温度を確認しつつ給湯装置の給湯運転を支障なく行うことができ、使用者にとって使い勝手がよい。
【００２３】
【発明の実施の形態】
本発明の第１の態様の一実施形態を図１乃至図４を参照して説明する。図１は本実施形態の給湯装置のシステム構成図、図２は図１の給湯装置の要部のブロック構成図、図３は図１の給湯装置の作動を説明するための線図、図４は図１の給湯装置の作動を説明するためのフローチャートである。
【００２４】
図１を参照して、本実施形態の給湯装置は、給湯器本体１とそれに接続されたリモコン２とを備える。
【００２５】
給湯器本体１は、給湯路３と、燃焼器であるガスバーナ４と、ガスバーナ４を収容した燃焼室５と、燃焼用空気を燃焼室５内に給気する燃焼ファン６と、制御ユニット７と、ガスバーナ４に燃料ガスを供給するための給燃路８とを具備する。ガスバーナ４の上方には、該ガスバーナ４と併せて加熱手段９を構成する熱交換器１０が配設され、給湯路３は該熱交換器１０を通って配管されている。
【００２６】
給湯路３は、その上流側から下流側に順次直列的に接続された元給水管１１、熱交換器管１２及び出湯管１３により構成され、熱交換器管１２には、バイパス管１４が並列に接続されている。元給水管１１から熱交換器管１２及びバイパス管１４に至る分岐箇所には、制御ユニット７の指示により熱交換器管１２及びバイパス管１４に流れる水量の割合を調整する電動水量制御装置１５が設けられている。
【００２７】
元給水管１１は、上流側が上水道に接続され、下流側が電動水量制御装置１５の入口に接続されている。この元給水管１１には、上流側から水フィルタ兼水抜栓１６、水量センサ１７、給水サーミスタ１８が配されている。水量センサ１７は、羽根車式であり、給湯路３の通水量に応じたパルスを制御ユニット７に送出する。給水サーミスタ１８は給水温を検出して、その検出信号を制御ユニット７に送出する。
【００２８】
熱交換器管１２は、上流側が電動水量制御装置１５の二つの出口の一方出口側に接続され、その中間部分が熱交換器１０を通り、下流側が出湯管１３に接続されている。熱交換器１０は、ガスバーナ４の燃焼熱を熱交換器管１２に伝熱し、熱交換器管１２を流れる水を加熱する。また、熱交換器１０の外壁にはその過熱状態を検知する過熱防止装置１９が配設され、熱交換器管１２の下流出口側には熱交換器１０を通過した水の出湯温を検出する熱交出湯サーミスタ２０が配設されている。過熱防止装置１９や熱交出湯サーミスタ２０の検知信号は制御ユニット７に出力される。
【００２９】
バイパス管１４は、上流入口側が電動水量制御装置１５の他方出口側に接続されて元給水管１１から分流され、下流端が出湯管１３の上流側（熱交換器管１０の下流端側）に合流・接続されている。
【００３０】
出湯管１３には、凍結を防止するための凍結防止ヒータ２１、出湯温を検出する出湯サーミスタ２２、過圧安全弁兼水抜栓２３、湯を出すための給湯栓２４が上流側から下流側にわたって配設されている。出湯サーミスタ２２は熱交換器管１２とバイパス管１４との合流箇所の下流側で給湯路３の出湯管１３を流れる湯の出湯温を検出し、その検出信号を制御ユニット７に出力する。給湯栓２４は、キッチンや浴室に配される蛇口（図示せず）から吐出する湯の量を調節する湯栓である。
【００３１】
給燃路８には、その上流側から順に元電磁弁２５及びガバナ比例電磁弁２６が配設され、その下流端部はガスバーナ４に燃料ガスを供給すべく燃焼室５に導入されている。ガバナ比例電磁弁２６は、制御ユニット７により通電制御され、通電量に応じて燃料ガスの給燃量を連続的に可変する。元電磁弁２５は、制御ユニット７の制御により開閉し、それにより、ガスバーナ４への給燃及びその給燃の遮断を行う。
【００３２】
ガスバーナ２を収容した燃焼室５には、上部に燃焼排ガス２７ａを捕集して外に排出する排気部２７が設けられていると共に、燃焼ファン６を設けた通気路２８が連通されている。通気路２８は、燃焼ファン６の吸入側が給湯器本体１の外部に開口しており、その開口部には、エアフィルタ２９が着脱自在に装着されている。排気部２７には、必要に応じて図示しないダクトが接続される。尚、燃焼ファン６にはホール素子等により構成された回転数センサ６ａが設けられ、この回転数センサ６ａは、燃焼ファン６の回転数の検出信号を制御ユニット７に出力する。
【００３３】
また、リモコン２には、出湯温を設定するための温度設定スイッチ３０や、運転スイッチ３１、温度設定スイッチ３０による設定温度を表示するための液晶表示器３２が設けられている。このリモコン２の表示器３２は、後述する異常発生時には、その異常内容をエラーコード等により表示し得るようになっている。
【００３４】
尚、図１において、３３はガスバーナ２の点火電極、３４は制御ユニット７の制御により点火電極３３に火花放電を生ぜしめるイグナイタ、３５はガスバーナ２の燃焼炎を検知するフレームロッドであり、フレームロッド３５は、その検知信号を制御ユニット７に出力する。また、３６はガスバーナ２の過熱状態を制御ユニット７に認識させるための過熱防止用ヒューズ、３７は凍結防止ヒータ２１を作動させるための低温感知スイッチであり、低温感知スイッチ３７の信号は制御ユニット７に出力される。
【００３５】
次に、図２を参照して、制御ユニット７は、図示しないマイクロコンピュータを備えるもので、その機能的構成として、ガスバーナ２の燃焼運転等を制御する運転制御部３８と、運転時の各種異常の発生の有無を検出する異常検出部３９（異常検出手段）と、異常発生時の処理を行う異常処理部４０（異常処理手段）とを備える。
【００３６】
運転制御部３８は、ガスバーナ２の燃焼運転を制御するために、ガスバーナ２の必要燃焼量を算出する必要燃焼量算出部４１と、燃焼ファン６のファンモータ（図示せず）の通電制御を行うファン制御部４２と、ガバナ比例電磁弁２６の通電制御を行う比例弁制御部４３と、元電磁弁２５の開閉制御を行う電磁弁制御部４４とを具備する。
【００３７】
必要燃焼量算出部４１は、給水サーミスタ１８、水量センサ１７、及び出湯サーミスタ２２からそれぞれ与えられる給水温、通水量及び出湯温の検知信号に基づき、該出湯温をリモコン２の温度設定スイッチ３０により設定された設定温度に合致させるためのガスバーナ４の必要燃焼量を所定の演算式等に従って時々刻々求める。
【００３８】
ファン制御部４２は、基本的には、必要燃焼量算出部４１により求められる必要燃焼量に対応した量の燃焼用空気を燃焼ファン６により燃焼室５に供給するための燃焼ファン６の目標回転数を該必要燃焼量からあらかじめ定められたデータテーブル等に従って求め、回転数センサ６ａによる燃焼ファン６の検出回転数が目標回転数に合致するように燃焼ファン６のファンモータへの通電量を設定する。そして、設定した通電量で燃焼ファン６のファンモータに通電することで、燃焼ファン６の回転数を目標回転数にフィードバック制御する。
【００３９】
この場合、本実施形態の給湯装置では、ファン制御部４２は、前記エアフィルタ２９の目詰まり等による通気路２８の閉塞がある程度進行しても、必要燃焼量に対応した適正量の燃焼用空気を供給することができるように、上記のように必要燃焼量に対応して定まる目標回転数を適宜補正しつつ燃焼ファン６の回転数を制御する。このような燃焼ファン６の回転数の補正制御は、例えば本願出願人が特願平７−５８８６０号等に詳細に開示しているので、ここでは、詳細な説明を省略するがその概要は次の通りである。
【００４０】
すなわち、前記エアフィルタ２９の目詰まり等による通気路２８の閉塞が生じると、燃焼ファン６を任意の目標回転数に制御したとき、燃焼ファン６による燃焼用空気の給気量は、該通気路２８が正常な場合に較べて減少し、このため、該燃焼ファン６の負荷が軽くなって、該燃焼ファン６のファンモータへの通電量は通気路２８が正常な場合に較べて低下する。そして、その通電量の低下度合いは、通気路２８の閉塞度合いに応じたものとなり、閉塞が進行する程、通電量の低下度合いは大きくなる。そこで、前記ファン制御部４２は、前記エアフィルタ２９が清浄で、通気路２８が正常な場合の燃焼ファン６の各目標回転数における標準的通電量のデータをあらかじめ図示しないメモリ等に記憶保持しており、ガスバーナ４の燃焼に際して燃焼ファン６の回転数を各目標回転数に制御した際の実際の通電量が上記標準的通電量に対して低下している度合いを監視する。そして、その通電量の低下度合いに基づき、エアフィルタ２９の目詰まり等による通気路２８の閉塞度合いを把握して、あらかじめ定めた演算式により目標回転数の補正係数を求める。そして、求めた補正係数を前述のように必要燃焼量に対応して定まる目標回転数に乗算することで、該目標回転数を補正し、その補正してなる目標回転数に従って燃焼ファン６をフィードバック制御する。
【００４１】
上記のように求められる燃焼ファン６の回転数の補正係数は、通気路２８の閉塞度合い、換言すれば、エアフィルタ２９の目詰まり状態に応じて図３に示すような値となり、その値は、通気路２８の閉塞度合いを示すものとなる。
【００４２】
尚、上記のような燃焼ファン６の回転数の補正にあっては、例えば風量センサを用いて実際の給気量を検出し、その検出給気量が必要燃焼量に対応した給気量となるように燃焼ファン６の回転数を補正するようにしてもよい。また、風量センサによる検出給気量と、燃焼ファン６の回転数との相関関係から通気路２８の閉塞度合いを把握するようにすることも可能である。
【００４３】
比例弁制御部４３は、回転数センサ６ａによる燃焼ファン６の検出回転数と前述のようにファン制御部４２により求められる燃焼ファン６の回転数の補正係数とに基づき、ガスバーナ４の必要燃焼量に対応した燃焼用空気の給気量を把握し、その給気量に比例した量の燃料ガスをガスバーナ４に給燃せしめるようにガバナ比例電磁弁２６を通電制御する。尚、ガバナ比例電磁弁２６の通電制御は、前記必要燃焼量算出部４１により求められる必要燃焼量に基づき、該必要燃焼量に対応した量の燃料ガスをガスバーナ４に給燃するようにガバナ比例電磁弁２６を通電制御するようにしてもよい。
【００４４】
電磁弁制御部４４は、ガスバーナ４の燃焼を開始する際、元電磁弁２５に通電してこれを開弁し、ガスバーナ４の燃焼を停止する際、元電磁弁２５への通電を停止して元電磁弁２５を閉弁する。
【００４５】
尚、図示や詳細な説明は省略するが、運転制御部３８は、前記イグナイタ３４の駆動部や、電動水量制御装置１５の制御部等も具備している。
【００４６】
異常検出部３９には、給水サーミスタ１８や出湯サーミスタ２２、熱交出湯サーミスタ２０、過熱防止装置１９、ヒューズ３６、フレームロッド３５、回転数センサ６ａ等の検知信号が入力され、また、電磁弁制御部４４の通電信号が入力される。さらに、ファン制御部４２により求められた前記補正係数が、エアフィルタ２９の目詰まり状態を示す信号として与えられる。そして、異常検出部３９は、これらの入力信号に基づき、給湯装置に生じる各種異常を検出する。
【００４７】
具体的には、例えば各サーミスタ１８，２２，２０の信号に基づき、各サーミスタ１８，２２，２０の断線あるいは短絡等の異常を検出する。また、熱交出湯サーミスタ２０や過熱防止装置１９の検知信号、ヒューズ３６の溶断信号に基づき、熱交換器１０で過熱された水の過剰昇温状態や、熱交換器１０の過熱状態、燃焼室５の過剰高温状態等の異常状態を検出する。また、フレームロッド３５の検知信号に基づき、ガスバーナ４の失火や不着火等の異常を検出する。また、回転数センサ６ａの検知信号に基づき、燃焼ファン６の回転異常を検出する。また、電磁弁制御部４４の通電信号に基づき、電磁弁制御部４４の回路異常を検出する。また、ファン制御部４２から与えられる補正係数に基づき、エアフィルタ２９の過剰な目詰まり異常（例えば、図３の閉塞度合いが８０％以上となるような状態）を検出する。
【００４８】
尚、上記のような各種異常のうち、例えば、各サーミスタ１８，２２，２０の断線あるいは短絡等の異常や、電磁弁制御部４４の回路異常等は、その異常原因を解消するためには業者による修理を必要とするものである。また、ガスバーナ４の失火や不着火等の異常は、一般には、突風等による一時的なもので、その異常原因は、自然に解消する。また、エアフィルタ２９の目詰まり異常は、業者によらずとも使用者が該エアフィルタ２９を清掃すれば、解消する異常である。
【００４９】
異常処理部４０は、異常検出部３９により異常が検出されたとき、それに応じて運転制御部３８にガスバーナ４の燃焼運転の停止を指示したり、リモコン２の表示器３２に検出された異常内容を表示せしめる。この異常処理部４０による異常処理の詳細は後述する。
【００５０】
次に、本実施形態の給湯装置の作動を説明する。
【００５１】
使用者が給湯路３の通水を開始すると、それが水量センサ１７の検知信号に基づき運転制御部３８により検知され、このとき、運転制御部３８は、ファン制御部４２により所定回転数で燃焼ファン６を作動させて燃焼室５のプリパージを行った後、ガスバーナ４の点火処理を行う。この点火処理においては、ファン制御部４２により燃焼ファン６を所定回転数で回転させつつ電磁弁制御部４４により元電磁弁２５を開弁し、この状態で、イグナイタ３４を駆動して点火電極３３に火花放電を生ぜしめることにより、ガスバーナ４を点火する。そして、このようにしてガスバーナ４の燃焼が開始すると、運転制御部３８の必要燃焼量算出部４１が、ガスバーナ４の必要燃焼量を前述の如く時々刻々求める。また、ファン制御部４２は、前述の如く必要燃焼量に対応した給気量でガスバーナ４に燃焼用空気を供給するように燃焼ファン６の回転数をフィードバック制御し、さらに、比例弁制御部４３は、燃焼ファン６による給気量に対応した量の燃料ガスをガスバーナ４に給燃するようにガバナ比例電磁弁２６を通電制御する。これにより、ガスバーナ４は必要燃焼量算出部４１により求められる必要燃焼量で燃焼し、給湯路３の熱交換器管１２を流れる水を熱交換器１０を介して加熱する。このとき、上記必要燃焼量は、給湯路３の出湯温が、リモコン２の温度設定スイッチ３０により設定された設定温度に一致させるように求められるので、該設定温度での給湯が行われる。
【００５２】
一方、図４を参照して、上記のようなガスバーナ４の燃焼運転（ガスバーナ４の点火処理を含む）に際して、制御ユニット７の異常検出部３９は、前述したような異常の発生を監視しており（ＳＴＥＰ１）、該異常検出部３９により異常の発生が検出されると、異常処理部４０は、リモコン２の表示器３２が表示していた設定温度の表示を異常検出部３９により検出された異常内容の表示に切換表示させると共に、運転制御部３８に燃焼運転の停止を指示する（ＳＴＥＰ２）。このとき、運転制御部３８は、電磁弁制御部４４により元電磁弁２５を閉弁してガスバーナ４への給燃を停止せしめ、さらにファン制御部４２により燃焼ファン６の作動を停止させ、これによりガスバーナ４の燃焼運転を停止する。
【００５３】
続いて、異常処理部４０は、異常検出部４０により検出された異常が、エアフィルタ２９の目詰まり異常であるか否かを判断する（ＳＴＥＰ３）。
【００５４】
このとき、エアフィルタ２９の目詰まり異常である場合には、異常処理部４０は、所定時間（本実施形態では例えば３分）を計時するための図示しないタイマをスタートさせた後（ＳＴＥＰ４）、給湯路３の通水が停止されたか否かを水量センサ１７の検知信号に基づき判断する（ＳＴＥＰ５）。この場合、使用者が異常の発生に気づかない等により、給湯路３の通水が継続されているときは、ガスバーナ４の燃焼運転の停止状態で、リモコン２の表示器３２による異常内容（エアフィルタ２９の目詰まり異常）の表示が継続して行われ、使用者が異常の発生に気づいて給湯路３の通水を停止すると、異常処理部４０は、次に前記タイマがタイムアップしたか否か、すなわち、燃焼運転の停止や異常内容の表示が行われた時から所定時間（３分）が経過したか否かを判断する（ＳＴＥＰ６）。この場合、該所定時間（３分）の経過前に、使用者が異常の発生に気づいて給湯路３の通水を停止した場合であっても、該所定時間（３分）が経過するまでは、ガスバーナ４の燃焼運転の停止状態で、リモコン２の表示器３２による異常内容（エアフィルタ２９の目詰まり異常）の表示が継続して行われる。そして、該異常内容が表示されている間は、使用者が通水を再開しても、運転制御部３８は異常処理部４０の指示により前述したような燃焼運転を行わないようになっている。
【００５５】
従って、使用者が異常発生後、ただちに通水を停止しても、前記所定時間（３分）が経過するまでは、リモコン２の表示器３２を確認することで、異常内容、すなわち、エアフィルタ２９の目詰まり異常が生じている旨を速やかに認識することができる。また、使用者が仮に一時的な異常と判断して、前記所定時間（３分）が経過する前に、表示器３２の表示を確認することなく給湯路３の通水を再開しても、ガスバーナ４の点火処理を含む燃焼運転が行われないため、使用者は表示器３２を確認することとなって、エアフィルタ２９の目詰まり異常が生じている旨を確実に認識する。
【００５６】
これにより使用者は、エアフィルタ２９の清掃の必要性を把握して、速やかにエアフィルタ２９を清掃して、異常原因を解消することができる。
【００５７】
尚、ＳＴＥＰ５の処理により、異常が発生してから給湯路３の通水が継続している限り、前記所定時間（３分）が経過したか否かにかかわらず、リモコン２の表示器３２による異常内容（エアフィルタ２９の目詰まり異常）の表示は継続するので、使用者は、通水を継続したまま、表示器３２の表示により、異常内容を認識することもできる。
【００５８】
前記ＳＴＥＰ６で前記所定時間（３分）が経過したときは、異常処理部４０は、リモコン２の表示器３２による異常内容の表示をクリアし、通常的な設定温度の表示に戻す（ＳＴＥＰ７）。尚、このとき、異常処理部４０は、運転制御部３８に対する燃焼運転の禁止指示を解除し、燃焼運転が可能な状態とする。
【００５９】
次いで、給湯路３の通水が再開される（ＳＴＥＰ８でＹＥＳ）と、運転制御部３８は、ガスバーナ４の燃焼運転を再開する（ＳＴＥＰ９）。この場合、エアフィルタ２９の清掃が行われていない場合には、再び、前述のような異常処理部４０による処理が行われて燃焼運転が停止されたり、異常内容の表示が行われることはもちろんである。そして、使用者が前述したような異常内容の把握に基づきエアフィルタ２９の清掃を行った後に、給湯路３の通水を再開した場合には、エアフィルタ２９の目詰まり異常以外の異常が発生しない限り、支障なくガスバーナ４の燃焼運転が再開して給湯を行うことができる。また、リモコン２の表示器３２の表示は、通常的な設定温度の表示に戻っているので、使用者は運転の再開に際して設定温度を確認することができると共に、設定温度の変更も支障なく行うことができる。
【００６０】
一方、前記ＳＴＥＰ３で、発生した異常がエアフィルタ２９の目詰まり異常以外の異常、例えばガスバーナ４の失火や不着火等の異常、あるいは、例えば各サーミスタ１８，２２，２０の断線あるいは短絡等の異常である場合には、異常処理部４０は、給湯路３の通水が停止されたか否かを水量センサ１７の検知信号に基づき判断し（ＳＴＥＰ１０）、給湯路３の通水が継続されているときは、ガスバーナ４の燃焼運転の停止状態で、リモコン２の表示器３２による異常内容の表示を継続して行わしめる。そして、通水が停止されると、前記ＳＴＥＰ７で、リモコン２の表示器３２による異常内容の表示をクリアし、通常的な設定温度の表示に戻す。その後、ＳＴＥＰ８で使用者が通水を再開すると、ＳＴＥＰ９で運転制御部３８はガスバーナ４の燃焼運転を再開しようとする。
【００６１】
この場合、異常の発生後、使用者が給湯路３の通水を停止すると、表示器３２による異常内容の表示がクリアされるため、使用者は、異常内容を認識できない場合もある。
【００６２】
しかるに、エアフィルタ２９の目詰まり異常以外の異常は、突風によるガスバーナ４の失火や不着火という一時的な異常であるか、あるいは、例えば各サーミスタ１８，２２，２０の断線や短絡等、使用者では異常原因を解消することができない異常である。
【００６３】
そして、ガスバーナ４の失火や不着火等の一時的な異常である場合には、使用者が異常内容を把握せずとも、使用者が通水を再開することで（ＳＴＥＰ８）、運転制御部３８により、ガスバーナ４の燃焼運転が支障なく行われ、また、リモコン２の表示器３２の表示は通常的な設定温度の表示に戻されているので、設定温度の確認や変更を支障なく行うことができる。
【００６４】
また、各サーミスタ１８，２２，２０の断線や短絡等の異常は、使用者が異常内容を把握しても使用者自身が異常原因を解消することができるものではなく、また、使用者が、通水を再開しても、再び、異常検出部３９により異常が検出されて、ガスバーナ４の燃焼運転が停止するので、使用者は、速やかに修理の必要な異常と判断して業者に修理を依頼することができる。尚、この場合、使用者や業者は、給湯路３の通水を継続的に行うことで、リモコン２の表示器３２の表示により異常内容を把握することもできる。
【００６５】
このように、本実施形態の給湯装置によれば、特に、エアフィルタ２９の詰まり異常という、使用者自身が異常原因を容易に解消し得る異常が生じた場合にその異常内容を速やかに把握することができ、その異常原因の解消（エアフィルタ２９の清掃）を速やかに行って、支障なく運転を再開することができる。また、修理を要する異常が生じた場合であっても、使用者は異常内容を把握せずとも、速やかに業者に修理を依頼することができる。
【００６６】
次に、本発明の第２の態様の一実施形態を図５を参照して説明する。図５は本実施形態の給湯装置の作動を説明するためのフローチャートである。尚、本実施形態の給湯装置は、その構成は図１及び図２のものと同一で、前記異常処理部４０による処理のみが図１及び図２のものと異なるものであるので、以下、構成の説明は省略し、図１及び図２の参照符号を用いて作動を説明する。
【００６７】
図５を参照して、本実施形態の給湯装置では、異常処理部４０は、前記第１の態様の実施形態と同様に、ガスバーナ４の燃焼運転に際して異常が発生して異常検出部３９によりその異常が検出されたとき（ＳＴＥＰ１でＹＥＳ）、リモコン２の表示器３２に異常内容を表示せしめると共に、運転制御部３８を介してガスバーナ４の燃焼運転を停止し（ＳＴＥＰ２）、続いて、検出された異常がエアフィルタ２９の目詰まり異常であるか否かを判断する（ＳＴＥＰ３）。
【００６８】
このとき、検出された異常がエアフィルタ２９の目詰まり異常でない場合の処理は、前記第１の態様の実施形態と全く同一であり（ＳＴＥＰ１０及び７〜９）、給湯路３の通水が停止されるまで表示器３２に異常内容を表示した後、通水の停止により異常内容の表示をクリアして通常の設定温度の表示に戻す。そして、通水が再開されると、運転制御部３８によるガスバーナ４の燃焼運転が再開する。このとき、異常原因が解消していなければ、再び燃焼運転が停止されることはもちろんである。
【００６９】
一方、ＳＴＥＰ３で、検出された異常がエアフィルタ２９の目詰まり異常である場合には、異常処理部４０は、まず、給湯路３の通水が停止されたか否かを判断する（ＳＴＥＰ１１）。このとき、通水が継続している間は、異常処理部４０は表示器３２による異常内容（エアフィルタ２９の目詰まり異常）の表示を継続せしめ、通水が停止されると、該異常内容の表示を継続したまま所定時間（本実施形態では例えば３分）を計時するための図示しないタイマをスタートさせる（ＳＴＥＰ１２）。そして、該タイマがタイムアップするまで、すなわち、給湯路３の通水が停止されてから上記所定時間（３分）が経過するまでは、表示器３２による異常内容（エアフィルタ２９の目詰まり異常）の表示を継続させる（ＳＴＥＰ１３）。この場合、表示器３２による異常内容の表示が継続している間は、給湯路３の通水が一旦停止された後、再開されても、運転制御部３８によるガスバーナ４の燃焼運転を禁止する。
【００７０】
このような異常内容の表示を行うことで、前記第１の対等の実施形態の場合と同様に、使用者は、異常の発生後、ただちに通水を停止しても、その後、前記所定時間（３分）が経過するまでは、リモコン２の表示器３２を確認することで、異常内容、すなわち、エアフィルタ２９の目詰まり異常が生じている旨を速やかに認識することができる。また、使用者が仮に一時的な異常と判断して、前記所定時間（３分）が経過する前に、表示器３２の表示を確認することなく給湯路３の通水を再開しても、ガスバーナ４の点火処理を含む燃焼運転が行われないため、使用者は表示器３２を確認することとなって、エアフィルタ２９の目詰まり異常が生じている旨を確実に認識する。さらに、使用者が異常の発生に気づかないまま、長い時間にわたって通水を継続しても、その後、通水が停止されてから上記所定時間（３分）が経過するまでは異常内容の表示が行われるので、その表示により使用者は、エアフィルタ２９の目詰まり異常が生じている旨を認識することができる。
【００７１】
これにより使用者は、エアフィルタ２９の清掃の必要性を把握して、速やかにエアフィルタ２９を清掃して、異常原因を解消することができる。
【００７２】
前記ＳＴＥＰ１３で前記所定時間（３分）が経過した後は、前述の第１の態様の実施形態と全く同一の処理が行われ（ＳＴＥＰ７〜９）、表示器３２による異常内容の表示をクリアして通常の設定温度の表示に戻す。そして、通水が再開されると、運転制御部３８によるガスバーナ４の燃焼運転が再開する。
【００７３】
これにより、使用者はエアフィルタ２９の清掃を行って異常原因を解消した後は、支障なくガスバーナ４の燃焼運転を再開することができると共に、表示器３２により設定温度を確認したり、設定温度の変更を行うことができる。
【００７４】
このように、本実施形態の給湯装置によっても、エアフィルタ２９の詰まり異常という、使用者自身が異常原因を容易に解消し得る異常が生じた場合にその異常内容を速やかに把握することができ、その異常原因の解消（エアフィルタ２９の清掃）を速やかに行って、支障なく運転を再開することができる。また、修理を要する異常が生じた場合であっても、使用者は異常内容を把握せずとも、速やかに業者に修理を依頼することができる。
【００７５】
尚、以上説明した各実施形態では、エアフィルタ２９の目詰まり異常以外の異常が発生した場合には、給湯路３の通水の停止と共に、表示器３２による異常内容の表示をクリアするようにしたが、エアフィルタ２９の目詰まり異常の場合と同様に、通水の停止後も異常内容の表示を行うようにして、その異常内容を積極的に使用者に認識させるようにすることも可能であることはもちろんである。
また、前記各実施形態では、ガスバーナ４を加熱手段として用いた給湯装置を例にとって説明したが、例えば電熱ヒータを加熱手段として用いた給湯装置にあっても本発明を適用することができることはもちろんである。
【００７６】
また、前記各実施形態では、表示器３２による異常内容の表示により該異常内容を使用者に報知するようにしたが、例えば音声等による報知も可能である。
【００７７】
また、燃焼ファン６の吸入側に図示しないダクトを接続し、該ダクトの先端にエアフィルタを着脱自在に装着するものにおいても本発明を適用することができる。
【図面の簡単な説明】
【図１】本発明の第１の態様及び第２の態様の一実施形態の給湯装置のシステム構成図。
【図２】図１の給湯装置の要部のブロック構成図。
【図３】図１の給湯装置の作動を説明するための線図。
【図４】図１の給湯装置（第１の態様）の作動を説明するためのフローチャート。
【図５】図１の給湯装置（第２の態様）の作動を説明するためのフローチャート。
【符号の説明】
３…給湯路、９…加熱手段、３９…異常検出部、４０…異常処理部。
【図１】
0003652414.tif 000002
【図２】
0003652414.tif 000003
【図３】
0003652414.tif 000004
【図４】
0003652414.tif 000005
【図５】
0003652414.tif 000006